(57)【要約】【課題】被固定部材からの取り外し作業を何らダメージを与えることなくスムーズに行うことができ、しかも、構成が簡単である固定用クリップを提供する。【解決手段】弾性変形によって取付用形態と解除用形態に変移可能であり、取付用形態に対し解除用形態では下面７の周辺部７ｂの位置が中央部７ａに対して上方に相対的に変移するクリップベース部２と、クリップベース部２の下面７より下方位置に設けられ、中心部３ａを中心として先端側が上方に折れ曲がる方向に変移可能な係止部３と、クリップベース部２の下面７の中央部７ａと係止部３の中心部３ａを連結する中央ロッド部４と、クリップベース部２の下面７の周辺部７ｂと係止部３の先端側を複数箇所で連結する複数の解除用連結ロッド部５とを備え、クリップベース部２を取付用形態から解除用形態に変更すると、係止部３がその中心部３ａを中心として上方に折り曲がる方向に変移する。【選択図】図１
2010116971.tif 000002
【特許請求の範囲】
【請求項１】
弾性変形によって取付用形態と解除用形態に変移可能であり、取付用形態に対し解除用形態では下面の周辺部の位置が中央部に対して上方に相対的に変移するクリップベース部と、
前記クリップベース部の下面より下方位置に設けられ、中心部を中心として先端側が上方に折れ曲がる方向に変移可能な係止部と、
前記クリップベース部の下面の中央部と前記係止部の中心部を連結する中央ロッド部と、
前記クリップベース部の下面の周辺部と前記係止部の先端側を複数箇所で連結する複数の解除用連結ロッド部とを備え、
前記クリップベース部を取付用形態から解除用形態に変更すると、前記係止部がその中心部を中心として上方に折り曲がる方向に変移することを特徴とする固定用クリップ。
【請求項２】
請求項１記載の固定用クリップであって、
前記クリップベース部は、取付用形態では下面が上方に向かって突出する円弧面形状であり、解除用形態では下面が下方に向かって突出する円弧面形状であることを特徴とする固定用クリップ。
【請求項３】
請求項１又は請求項２記載の固定用クリップであって、
前記クリップベース部の上面の中央部には、配策物固定部が設けられたことを特徴とする固定用クリップ。
【発明の詳細な説明】
【技術分野】
【０００１】
本発明は、ワイヤーハーネス等を被固定部材に固定するための固定用クリップに関する。
【背景技術】
【０００２】
この種の従来の固定用クリップとしては、特許文献１に開示されたものが提案されている。この固定用クリップ５０は、図４〜図６に示すように、クリップベース部５１と、このクリップベース部５１より下方に延設された方形枠体状の連結部５２と、この連結部５２の互いに対向する位置に設けられた一対の係止爪５３と、一対の係止爪５３の中心部を連結し、且つ、上方に延設された解除用ロッド部５４と、この解除用ロッド部５４と共に上方に延設された一対の解除位置ロック用係止部５５とを備えている。クリップベース部５１には押し込み用孔５１ａが開口され、この押し込み用孔５１ａに解除用ロッド部５４と一対の解除位置ロック用係止部５５の各上端が配置されている。
【０００３】
上記構成において、ワイヤーハーネス（図示せず）をクリップベース部５１上に固定する。そして、一対の係止爪５３を先端として被固定部材６０の係止孔６１に挿入する。すると、一対の係止爪５３が弾性撓み変形しつつ係止孔６１に挿入され、完全に挿入されると、一対の係止爪５３が元の状態に撓み復帰変形する。これにより、図５に示すように、一対の係止爪５３が被固定部材６０の係止孔６１より抜けないように係止される。
【０００４】
また、固定用クリップ５０を被固定部材６０より取り外す場合には、クリップベース部５１上よりワイヤーハーネス（図示せず）を取り外す。次に、クリップベース部５１の押し込み用孔５１ａより解除用ロッド部５４を下方に押圧し、一対の解除位置ロック用係止部５５がクリップベース部５１の押し込み用孔５１ａの周縁に係止するまで押圧する。これにより、図６に示すように、解除用ロッド部５４が下方に変移した位置、つまり、解除位置に保持される。この解除位置では、一対の係止爪５３が係止孔６１に入る幅寸法に変移し、固定用クリップ５０の係止爪５３を係止孔６１より抜けば取り外しが完了する。
【０００５】
この従来例では、固定用クリップ５０を係止孔６１よりスムーズに取り外すことができるため、取り外し作業が容易で、しかも、固定用クリップ５０に何らダメージがないことから固定用クリップ５０の再利用が可能である。
【特許文献１】特開２００４−２４８４２１号公報
【発明の開示】
【発明が解決しようとする課題】
【０００６】
しかしながら、前記従来の固定用クリップ５０では、解除用ロッド部５４と共に一対の解除位置ロック用係止部５５を付設し、クリップベース部５１に押し込み用孔５１ａを設け、その上、この押し込み用孔５１ａ内に解除用ロッド部５４と一対の解除位置ロッド用係止部５５の上端を位置させる構造とする必要がある。従って、構成が複雑であり、固定用クリップ５０を射出成形で作製する場合には非常に複雑な成型となり、高コストである。
【０００７】
そこで、本発明は、前記した課題を解決すべくなされたものであり、被固定部材からの取り外し作業を何らダメージを与えることなくスムーズに行うことができ、しかも、構成が簡単である固定用クリップを提供することを目的とする。
【課題を解決するための手段】
【０００８】
請求項１の発明は、弾性変形によって取付用形態と解除用形態に変移可能であり、取付用形態に対し解除用形態では下面の周辺部の位置が中央部に対して上方に相対的に変移するクリップベース部と、前記クリップベース部の下面より下方位置に設けられ、中心部を中心として先端側が上方に折れ曲がる方向に変移可能な係止部と、前記クリップベース部の下面の中央部と前記係止部の中心部を連結する中央ロッド部と、前記クリップベース部の下面の周辺部と前記係止部の先端側を複数箇所で連結する複数の解除用連結ロッド部とを備え、前記クリップベース部を取付用形態から解除用形態に変更すると、前記係止部がその中心部を中心として上方に折り曲がる方向に変移することを特徴とする。
【０００９】
請求項２の発明は、請求項１記載の固定用クリップであって、前記クリップベース部は、取付用形態では下面が上方に向かって突出する円弧面形状であり、解除用形態では下面が下方に向かって突出する円弧面形状であることを特徴とする。
【００１０】
請求項３の発明は、請求項１又は請求項２記載の固定用クリップであって、前記クリップベース部の上面の中央部には、配策物固定部が設けられたことを特徴とする。
【発明の効果】
【００１１】
請求項１の発明によれば、固定用クリップを被固定部材より取り外すには、クリップ用ベース部の中央部を上方から押圧する。すると、取付用形態のクリップベース部が解除用形態に変移する。このクリップベース部の形態変移によって、中央ロッド部と複数の解除用連結ロッド部が相対変移し係止部がその中心部を中心として上方に折り曲がる方向に変移するため、被固定部材の係止孔の寸法より狭い幅となり、被固定部材からの取り外し作業を何らダメージを与えることなく容易に行うことができる。そして、クリップベース部に押し込み用孔を設けたり、押し込み用孔に中央ロッド部の上端等を配置したりする必要がなく、その上、中央ロッド部と複数の解除用連結ロッド部がクリップベース部及び係止部間の連結機能と解除機能の両方を兼用するため、構成が簡単である。以上より、被固定部材からの取り外し作業を何らダメージを与えることなく容易に行うことができ、しかも、構成が簡単である固定用クリップを提供できる。
【００１２】
請求項２の発明によれば、被固定部材の係止孔に係止された状態では、被固定部材によって遮蔽されるために係止部を目視することができない可能性があるが、取り外し時のクリップベース部の形態変更がその上下面の形状をひっくり返すような明確な形態変化であるため、作業者が係止部の状態を容易に認識できるため、取り外し作業性が良い。
【００１３】
請求項３の発明によれば、配索物固定部に配索物が取り付けされている場合に、配索物の上から押圧力を加えると、その押圧力がクリップベース部の上面の中央部に作用するため、配索物を取り付けた状態でも固定用クリップの取り外し作業ができ、取り外し作業性が良い。
【発明を実施するための最良の形態】
【００１４】
以下、本発明の一実施形態を図面に基づいて説明する。
【００１５】
図１〜図３は本発明の一実施形態を示し、図１（ａ）は固定用クリップ１の取り付け状態の断面図、図１（ｂ）は固定用クリップ１を取り外す際の断面図、図２はクリップベース部２を取付用形態から解除用形態に変更させるべく、クリップベース部２の上方から中央部７ａに押圧力を作用させた状態を示す断面図、図３はクリップベース部２を取付用形態から解除用形態に変更させると、中央ロッド部４と複数の解除用連結ロッド部５より係止部３に作用する力を説明するための断面図である。
【００１６】
図１（ａ）、（ｂ）に示すように、固定用クリップ１は、車体等の被固定部材１０の係止孔１１に係止されるもので、ポリエチレン（ＰＥ）樹脂材によって射出成型で一体成形されている。
【００１７】
固定用クリップ１は、ほぼ皿形状のクリップベース部２と、このクリップベース２の下面より下方位置に設けられた係止部３と、クリップベース部２の下面と係止部３間を連結する中央ロッド部４及び複数の解除用連結ロッド部５と、クリップベース部２の上面に設けられた配索物固定部６とを備えている。
【００１８】
クリップベース部２は、弾性変形によって図１（ａ）に示す取付用形態と図１（ｂ）に示す解除用形態とに形態変移でき、この二つの形態で安定する。図１（ａ）の取付用形態では、その下面７及び上面８が共に上方に突出する円弧面形状である。図１（ｂ）の解除用形態では、その下面７及び上面が共に下方に突出する円弧面形状である。つまり、上下面の形状をひっくり返すような形態変移であり、図１（ａ）の取付用形態に対し、図１（ｂ）の解除用形態では下面７の周辺部７ｂの位置が中央部７ａに対して上方に相対的に変移する。
【００１９】
係止部３は、中心部３ａより複数方向に外側に延びる複数の係止アーム片３ｂを有し  中心部３ａを中心として外方向に延びる各係止アーム片３ｂが上方に折り曲がる方向に変移可能である。
【００２０】
中央ロッド部４は、クリップベース部２の下面７の中央部７ａと係止部３の中心部３ａに連結されている。複数の解除用連結ロッド５は、クリップベース部２の下面７の周辺部７ｂと係止部３の先端側、つまり、係止アーム片３ｂに連結されている。
【００２１】
クリップベース部２を取付用形態から解除用形態に変更すると、中央ロッド部４と解除用連結ロッド部５間の相対的変移によって、係止部３の各係止アーム片３ｂが中心部３ａを中心として上方に折り曲がる方向に弾性変移する。
【００２２】
配索物固定部６は、クリップベース部２の上面８の中央部に固定され、バンド挿通孔６ａを有する。このバンド挿通孔６ａに結束バンド（図示せず）を通し、この結束バンドでワイヤーハーネス等の長尺状の配索物（図示せず）を締結することによって配索物を固定する。
【００２３】
次に、固定用クリップ１の取付作業を説明する。クリップベース部２は取付用形態であり、このクリップベース部２上の配索物固定部６にワイヤーハーネス等の配索物（図示せず）を結束バンド（図示せず）を用いて固定する。次に、係止部３側を先端として被固定部材１０の係止孔１１に挿入する。すると、複数の係止アーム片３ｂが係止孔１１の内周面に当接するが、更に挿入すると、複数の係止アーム片３ｂが弾性撓み変形しつつ係止孔１１内に挿入される。完全に挿入されると、複数の係止アーム片３ｂが元の状態に撓み復帰変形する。これにより、図１（ａ）に示すように、複数の係止アーム片３ｂが被固定部材１０の係止孔１１より抜けないように係止される。
【００２４】
また、固定用クリップ１を被固定部材１０より取り外す場合には、図２に示すように、配索物固定部６の上方より押圧する。これにより取付用形態のクリップベース部２の中央部に押圧力Ｆ１が作用する。すると、クリップベース部２の下面７の周辺部７ｂが被固定部材１０の係止孔１１の周縁より反力Ｆ２を受ける。クリップベース部２は、上面８の中央部からの押圧力Ｆ１と、下面７の周辺部７ｂへの反力Ｆ２によって、図３に示すように、取付用形態から解除用形態に形態変更する。
【００２５】
このクリップベース部２の形態変更によって、中央ロッド部４が下方に、複数の解除用連結ロッド部５が上方にそれぞれ変移するため、図３にて矢印で示すように、中央ロッド部４が下方に、複数の解除用連結ロッド部５が上方に係止部３を押圧する。すると、係止部３はその中心部３ａを中心として各係止アーム片３ｂが上方に折れ曲がる方向（ｃ矢印方向）に弾性変移し、係止部３の幅寸法Ｄ１が係止孔１１の幅寸法Ｄ２より小さくなる。最後に、図１（ｂ）にて矢印で示すように、固定用クリップ１を引き抜けば係止部３が係止孔１１より引き抜き抵抗なしで抜け、取り外しが完了する。
【００２６】
以上より、固定用クリップ１の被固定部材１０からの取り外し作業を何らダメージを与えることなく容易に行うことができる。そして、従来例のように、クリップベース部に押し込み用孔を設けたり、押し込み用孔に中央ロッド部の上端等を配置したりする必要がなく、その上、中央ロッド部４と複数の解除用連結ロッド部５がクリップベース部２及び係止部３間の連結機能と解除機能の両方を兼用するため、構成が簡単である。以上より、被固定部材１０からの取り外し作業を何らダメージを与えることなく容易に行うことができ、しかも、構成が簡単である固定用クリップ１を提供できる。
【００２７】
また、クリップベース部２は、取付用形態では下面７が上方に突出する円弧面形状であり、解除用形態では下面７が下方に向かって突出する円弧面形状である。被固定部材１０の係止孔１１に係止された状態では、被固定部材１０によって遮蔽されるために係止部３を目視することができない可能性があるが、取り外し時のクリップベース部２の形態変更がその上下面の形状をひっくり返すような明確な形態変化であるため、作業者が係止部３の状態を容易に認識できるため、取り外し作業性が良い。
【００２８】
更に、クリップベース部２の上面８の中央部には、配策物固定部６が設けられている。配索物固定部６に配索物（図示せず）が取り付けされている場合に、配索物の上から押圧力を加えると、その押圧力がクリップベース部２の上面８の中央部に作用するため、配索物を取り付けた状態でも固定用クリップ１の取り外し作業ができ、取り外し作業性が良い。
【００２９】
固定用クリップ１は、ポリエチレン（ＰＥ）樹脂材にて形成されているため、環境に優しいという利点もある。
【００３０】
尚、この実施形態では、クリップベース部２は、ほぼ皿形状に形成されているが、弾性変形によって取付用形態と解除用形態の２つの形態に変移可能であり、取付用形態に対し解除用形態では下面７の周辺部７ｂの位置が中央部７ａに対して上方に相対的に変移するような形状であれば良い。
【図面の簡単な説明】
【００３１】
【図１】本発明の一実施形態を示し、（ａ）は固定用クリップの取り付け状態の断面図、（ｂ）は固定用クリップの取り外し作業を説明するための断面図である。
【図２】本発明の一実施形態を示し、クリップベース部を取付用形態から解除用形態に変更させるべく、クリップベース部の上方から中央部に押圧力を作用させた状態を示す断面図である。
【図３】本発明の一実施形態を示し、クリップベース部を取付用形態から解除用形態に変更させると、中央ロッド部と複数の解除用連結ロッド部より係止部に作用する力を説明するための断面図である。
【図４】従来例の固定用クリップの斜視図である。
【図５】従来例の固定用クリップの取り付け状態の断面図である。
【図６】従来例の固定用クリップの取り外し作業を説明するための断面図である。
【符号の説明】
【００３２】
１  固定用クリップ
２  クリップベース部
３  係止部
３ａ  中心部
４  中央ロッド部
５  解除用連結ロッド部
６  配索物固定部
７  下面
７ａ  中央部
７ｂ  周辺部
８  上面
１０  被固定部材
１１  係止孔
【図１】
2010116971.tif 000003
【図２】
2010116971.tif 000004
【図３】
2010116971.tif 000005
【図４】
2010116971.tif 000006
【図５】
2010116971.tif 000007
【図６】
2010116971.tif 000008